(57)【要約】      （修正有）【課題】障害への耐性を備えるとともに処理効率の高い分離型基地局および無線部制御装置を提供する。【解決手段】分離型基地局は、無線端末Ｍ１〜Ｍ３と無線通信する複数の無線部１１〜１ｎと、複数の無線部と伝送線を介して接続され、各無線部で送受信される無線信号のベースバンド信号を処理する無線部制御装置とを有する。無線部制御装置には、ベースバンド信号の物理層の処理を行う複数のＰＨＹ処理部２１〜２ｎと、ＰＨＹ処理部により処理された信号のＭＡＣ層の処理を行う複数のＭＡＣ処理部３１〜３ｎとを備え、複数のＭＡＣ処理部３１〜３ｎのうち何れかの処理量が、このＭＡＣ処理部３１の処理能力を超える場合に、このＭＡＣ処理部が処理する処理の一部を他のＭＡＣ処理部へ切り替える。【選択図】図２
2011087251.tif 000002
【特許請求の範囲】
【請求項１】
無線端末と無線通信する複数の無線部と、前記複数の無線部と伝送線を介して接続され、各無線部で送受信される無線信号のベースバンド信号を処理する無線部制御装置とを有する分離型基地局であって、
前記無線部制御装置には、
前記ベースバンド信号の物理層の処理を行う複数のＰＨＹ処理部と、
前記ＰＨＹ処理部により処理された信号のＭＡＣ層の処理を行う複数のＭＡＣ処理部と、
前記複数のＭＡＣ処理部のうち何れかの処理量が、このＭＡＣ処理部の処理能力を超える場合に、このＭＡＣ処理部が処理する処理の一部を他のＭＡＣ処理部へ切り替える負荷分散手段と
を備えることを特徴とする分離型基地局。
【請求項２】
無線端末と無線通信する複数の無線部と、前記複数の無線部と伝送線を介して接続され、各無線部で送受信される無線信号のベースバンド信号を処理する無線部制御装置とを有する分離型基地局であって、
前記無線部制御装置には、
前記ベースバンド信号の物理層の処理を行う複数のＰＨＹ処理部と、
前記ＰＨＹ処理部により処理された信号のＭＡＣ層の処理を行う複数のＭＡＣ処理部と、
前記複数のＭＡＣ処理部の現在の処理量を監視し、監視した現在の処理量を前記複数のＭＡＣ処理部の処理能力の情報と対応付けて記憶し、
前記複数のＭＡＣ処理部のうち何れかの処理量が、当該ＭＡＣ処理部の処理能力を超える場合に、このＭＡＣ処理部が処理する処理の一部を他のＭＡＣ処理部へ切り替える制御を行う監視制御部と
を備えることを特徴とする分離型基地局。
【請求項３】
無線端末と無線通信する複数の無線部と、前記複数の無線部と伝送線を介して接続され、各無線部で送受信される無線信号のベースバンド信号を処理する無線部制御装置とを有する分離型基地局であって、
前記無線部制御装置には、
前記ベースバンド信号の物理層の処理を行う複数のＰＨＹ処理部と、
前記ＰＨＹ処理部により処理された信号のＭＡＣ層の処理を行う複数のＭＡＣ処理部と、
前記複数のＭＡＣ処理部の夫々には、
前記複数のＭＡＣ処理部の現在の処理量を監視し、監視した現在の処理量を前記複数のＭＡＣ処理部の処理能力の情報と対応付けて記憶し、
自らのＭＡＣ処理部の処理量が、自らのＭＡＣ処理部の処理能力を超える場合に、自らのＭＡＣ処理部が処理する処理の一部を他のＭＡＣ処理部へ切り替える負荷分散手段を備えることを特徴とする分離型基地局。
【請求項４】
無線端末と無線通信する複数の無線部と、前記複数の無線部と伝送線を介して接続され、各無線部で送受信される無線信号のベースバンド信号を処理する無線部制御装置とを有する分離型基地局の無線部制御装置であって、
前記ベースバンド信号の物理層の処理を行う複数のＰＨＹ処理部と、
前記ＰＨＹ処理部により処理された信号のＭＡＣ層の処理を行う複数のＭＡＣ処理部と、
前記複数のＭＡＣ処理部のうち何れかの処理量が、このＭＡＣ処理部の処理能力を超える場合に、このＭＡＣ処理部が処理する処理の一部を他のＭＡＣ処理部へ切り替える負荷分散手段と
を備えることを特徴とする無線部制御装置。
【請求項５】
無線端末と無線通信する複数の無線部と、前記複数の無線部と伝送線を介して接続され、各無線部で送受信される無線信号のベースバンド信号を処理する無線部制御装置とを有する分離型基地局の無線部制御装置であって、
前記ベースバンド信号の物理層の処理を行う複数のＰＨＹ処理部と、
前記ＰＨＹ処理部により処理された信号のＭＡＣ層の処理を行う複数のＭＡＣ処理部と、
前記複数のＭＡＣ処理部の現在の処理量を監視し、監視した現在の処理量を前記複数のＭＡＣ処理部の処理能力の情報と対応付けて記憶し、
前記複数のＭＡＣ処理部のうち何れかの処理量が、当該ＭＡＣ処理部の処理能力を超える場合に、このＭＡＣ処理部が処理する処理の一部を他のＭＡＣ処理部へ切り替える制御を行う監視制御部と
を備えることを特徴とする無線部制御装置。
【請求項６】
無線端末と無線通信する複数の無線部と、前記複数の無線部と伝送線を介して接続され、各無線部で送受信される無線信号のベースバンド信号を処理する無線部制御装置とを有する分離型基地局の無線部制御装置であって、
前記ベースバンド信号の物理層の処理を行う複数のＰＨＹ処理部と、
前記ＰＨＹ処理部により処理された信号のＭＡＣ層の処理を行う複数のＭＡＣ処理部と、
前記複数のＭＡＣ処理部の夫々には、
前記複数のＭＡＣ処理部の現在の処理量を監視し、監視した現在の処理量を前記複数のＭＡＣ処理部の処理能力の情報と対応付けて記憶し、
自らのＭＡＣ処理部の処理量が、自らのＭＡＣ処理部の処理能力を超える場合に、自らのＭＡＣ処理部が処理する処理の一部を他のＭＡＣ処理部へ切り替える負荷分散手段を備えることを特徴とする無線部制御装置。
【発明の詳細な説明】
【技術分野】
【０００１】
本発明は、例えば、無線端末装置と通信する基地局が有するベースバンド部に備えられるＭＡＣ処理部の負荷分散に関する。
【背景技術】
【０００２】
近年、ワイヤレスブロードバンド技術が発展する中、通信分野における通信速度の高速化や通信機器の多機能化が進んでいる。従来の基地局ＢＳ１は、図８に示すように、無線信号を送受信する無線部５１１と、ＰＨＹ処理部５２１およびＭＡＣ処理部５３１を備えるベースバンド部とが一体となった構成が主流であったが、近年、無線部とベースバンド部とが分離した分離型基地局が検討されている。
【０００３】
図８に示す従来の無線通信システムは、基地局ＢＳ１〜ＢＳ４が基地局制御装置５００と接続され、それぞれの基地局ＢＳ１〜ＢＳ４（以下、基地局ＢＳ１〜ＢＳ４を総称して、基地局ＢＳと称する。）は基地局制御装置５００を介して通信網ＮＷとの通信を行うよう構成されている。１つまたは複数の無線端末装置が基地局ＢＳ１の無線部５１１と無線通信を行う場合、その無線通信のベースバンド処理をＰＨＹ処理部５２１およびＭＡＣ処理部５３１が行い、基地局制御装置５００を介して通信網ＮＷとの通信を行う。
【０００４】
このように、無線部５１１が送受信する信号は、ＰＨＹ処理部５２１およびＭＡＣ処理部５３１が処理し、無線部５１２が送受信する信号は、ＰＨＹ処理部５２２およびＭＡＣ処理部５３２が処理する。つまり、基地局ＢＳ毎に、無線信号の送受信、ＰＨＹ処理、およびＭＡＣ処理を行い、基地局ＢＳの処理能力は、個々の基地局ＢＳの処理能力が上限となる。基地局ＢＳの各部の処理が各部の処理能力の上限まで行われると、それ以上の処理を受け付けない、もしくは処理を受け付けた上で処理速度を低下させる、というＢＵＳＹ状態となる。ＢＵＳＹ状態となれば、それ以上の処理を受け付けない場合は、新たな通信接続ができなく、それ以上の処理を受け付ければ処理速度が低下し、通信品質が低下する。
【０００５】
このようなＢＵＳＹ状態を回避するために、基地局ＢＳの各部は、基地局ＢＳに求められる通常の処理量（スペック）に加え、基地局ＢＳと通信する無線端末装置の増加や通信量の増加に伴う処理量の増加に対応できるよう、各部の処理可能量にマージンを持たせるようにしている。
【０００６】
また、ＰＨＹ処理部５２１やＭＡＣ処理部５３１に障害が発生した場合には、その基地局の通信が途絶してしまうため、それを回避するようＰＨＹ処理部５２１やＭＡＣ処理部５３１は冗長構成をとられている。しかしながら、このマージンの分や冗長構成の待機系のＰＨＹ処理部５２１およびＭＡＣ処理部５３１は、処理が常に行われるというものではないため、処理効率が低いという問題があった。
【０００７】
なお、基地局が行う処理の高効率化に関連する技術として、例えば、特許文献１が知られている。
【先行技術文献】
【特許文献】
【０００８】
【特許文献１】特開２００８−１４７８３５号公報
【発明の概要】
【発明が解決しようとする課題】
【０００９】
基地局ＢＳの処理可能量は、基地局ＢＳと通信する無線端末装置の増加や通信量の増加に伴う処理量の増加に対応できるよう、ＰＨＹ処理部５２１やＭＡＣ処理部５３１の処理可能量にマージンを持たせるようにしているとともに、障害への耐性を高めるために冗長構成がとられている。そのため、基地局ＢＳの処理効率が低いという問題があり、これは、現在検討されている分離型基地局においても同様である。
【００１０】
そこで、本発明は、障害への耐性を備えるとともに処理効率の高い分離型基地局および無線部制御装置を目的とする。
【課題を解決するための手段】
【００１１】
上記目的を達成するために、本発明による分離型基地局は、無線端末と無線通信する複数の無線部と、前記複数の無線部と伝送線を介して接続され、各無線部で送受信される無線信号のベースバンド信号を処理する無線部制御装置とを有する分離型基地局であって、前記無線部制御装置には、前記ベースバンド信号の物理層の処理を行う複数のＰＨＹ処理部と、前記ＰＨＹ処理部により処理された信号のＭＡＣ層の処理を行う複数のＭＡＣ処理部と、前記複数のＭＡＣ処理部のうち何れかの処理量が、このＭＡＣ処理部の処理能力を超える場合に、このＭＡＣ処理部が処理する処理の一部を他のＭＡＣ処理部へ切り替える負荷分散手段とを備えることを特徴とする。
【００１２】
また、上記目的を達成するために、本発明による無線部制御装置は、無線端末と無線通信する複数の無線部と、前記複数の無線部と伝送線を介して接続され、各無線部で送受信される無線信号のベースバンド信号を処理する無線部制御装置とを有する分離型基地局の無線部制御装置であって、前記ベースバンド信号の物理層の処理を行う複数のＰＨＹ処理部と、前記ＰＨＹ処理部により処理された信号のＭＡＣ層の処理を行う複数のＭＡＣ処理部と、前記複数のＭＡＣ処理部のうち何れかの処理量が、このＭＡＣ処理部の処理能力を超える場合に、このＭＡＣ処理部が処理する処理の一部を他のＭＡＣ処理部へ切り替える負荷分散手段とを備えることを特徴とする。
【発明の効果】
【００１３】
本発明による分離型基地局および無線部制御装置によれば、障害への耐性を備えるとともに処理効率を高めることができる。
【図面の簡単な説明】
【００１４】
【図１】本発明の一実施の形態に係る分離型基地局の構成を示すブロック図。
【図２】図１の分離型基地局の無線部制御装置の構成を示すブロック図。
【図３】本発明の一実施の形態に係る無線部制御装置に備えられるＰＨＹ処理部およびＭＡＣ処理部の処理分担を示す概念図。
【図４】本発明の一実施の形態に係る無線部制御装置に備えられるＭＡＣ処理部の処理量が増加した場合の負荷分散を示す概念図。
【図５】本発明の一実施の形態に係る分離型基地局のＰＨＹ処理部が行う負荷の自律分散手順を示すシーケンス図。
【図６】本発明の一実施の形態に係る分離型基地局の監視制御部が行うＰＨＹ処理部の負荷分散を示すシーケンス図。
【図７】本発明の一実施の形態に係る分離型基地局のＰＨＹ処理部およびＭＡＣ処理部の処理能力のスペックおよびマージンを説明するための図。
【図８】従来の基地局装置のＰＨＹ処理部およびＭＡＣ処理部の処理能力のスペックおよびマージンを説明するための図
【発明を実施するための形態】
【００１５】
以下、本発明の実施例を、図面を参照して説明する。
【実施例】
【００１６】
図１は、本発明の一実施の形態を示す分離型基地局１の構成を示すブロック図である。  
分離型基地局１は、無線端末Ｍ１〜Ｍｎと無線で通信する無線部１１〜１ｎと、無線部（以下、無線部１１〜１ｎを総称して無線部１０と称する。）と光ケーブル等の伝送線で接続され、通信網ＮＷと接続される無線部制御装置１００とを有する。無線部１０は、図示されないアンテナ、電力増幅器、および周波数変換器を備え、無線部制御装置１００は、変復調等のベースバンド信号の処理を行うベースバンド部２００と、監視制御部３００を備える。このベースバンド部２００は、ベースバンド信号の物理層の処理を行うＰＨＹ処理部２０およびＭＡＣ層の処理を行うＭＡＣ処理部３０を備える。監視制御部３００は、ＰＨＹ処理部２０やＭＡＣ処理部３０が行う処理の負荷（処理量）や障害を監視する。
【００１７】
無線部１０は、無線端末Ｍ１〜Ｍｎ（以下、無線端末Ｍ１〜Ｍｎを総称して無線端末Ｍと称する。）から受信する無線信号を復調したベースバンド信号を、伝送線を介して無線部制御装置１００へ送る。無線部制御装置１００では、無線部１０から送られてくるベースバンド信号をＰＨＹ処理部２０およびＭＡＣ処理部３０でそれぞれ処理し、監視制御部３００を通って通信網ＮＷへ送る。また、無線部制御装置１００は、通信網ＮＷから信号を受信すると、監視制御部３００を通り、ＭＡＣ処理部３０およびＰＨＹ処理部２０でそれぞれ処理し、ベースバンド信号を伝送線を介して無線部１０へ送る。無線部１０は、無線部制御装置１００から送られてくるベースバンド信号を所定の電力の無線信号へ変換して無線端末Ｍへ送信する。
【００１８】
次に、図２を参照して、無線部制御装置１００の構成について説明する。  
図２は、無線部制御装置１００に備えられるベースバンド部２００の構成を詳細に示すブロック図である。ＰＨＹ処理部２０は、複数の無線部１０が接続されるＰＨＹ処理部２１〜２ｎを備える。つまり、ＰＨＹ処理部２０はＰＨＹ処理部２１〜２ｎの集合物である。また、ＭＡＣ処理部３０は、複数のＭＡＣ処理部３１〜３ｎを備える。つまり、ＭＡＣ処理部３０はＭＡＣ処理部３１〜３ｎの集合物である。そして、ＰＨＹ処理部２１〜２ｎ、ＭＡＣ処理部３１〜３ｎ、および監視制御部３００は、一点鎖線で示される制御バスＢ１および太い実線で示されるデータバスＢ２で互いに接続される。また、ＰＨＹ処理部２１〜２ｎの夫々は、複数の無線部１０と接続され、接続された無線部１０と送受信する信号の物理層の処理を行う。例えば、その構成は、ＰＨＹ処理部２１が４つの無線部１１〜１４と接続され、ＰＨＹ処理部２２が４つの無線部１５〜１８と接続されるというようになる。
【００１９】
次に、図３および図４を参照して、ＭＡＣ処理部３１〜３ｎが行う処理の分担について説明する。  
図３は、図２と同様の構成である無線部制御装置において、負荷分散を行わない場合のＭＡＣ処理部３１〜３ｎの処理分担を示す概念図である。図３に示される例では、ＰＨＹ処理部２１は無線部１１〜１４と接続され、そのうちの無線部１１、１２がそれぞれ無線端末Ｍ１、Ｍ２との無線通信を行っている状態で、無線部１３が無線端末Ｍ３との無線通信を開始する場合である。無線端末Ｍ１が行っている無線通信の信号の経路Ｌ１は、無線部１１、ＰＨＹ処理部２１、およびＭＡＣ処理部３１を通る。無線端末Ｍ２が行っている無線通信の信号の経路Ｌ２は、無線部１２、ＰＨＹ処理部２１、およびＭＡＣ処理部３１を通る。つまり、ＰＨＹ処理部２１およびＭＡＣ処理部３１では、無線部１１、１２との通信に関する処理を行っている。このとき、無線端末Ｍ３が無線部１３との無線通信を開始する場合、無線端末Ｍ３の通信の経路Ｌ３は、無線端末Ｍ１、Ｍ２の信号の経路Ｌ１、Ｌ２と同様の経路となり、ＰＨＹ処理部２１およびＭＡＣ処理部３１は、無線部１３との通信に関する処理も行うことになる。
【００２０】
しかしながら、この無線部１３との通信に関する処理を行うとＭＡＣ処理部３１が行う処理が、ＭＡＣ処理３１の処理能力を上回る場合は、新たな処理をＭＡＣ処理３１で行うことができない。言い換えれば、無線端末Ｍ３は無線通信を行うことができない。そのため、図４に示すように、ＭＡＣ処理部３１が行うはずの処理を、負荷が低い状態のＭＡＣ処理部３ｎへ行わせ、無線端末Ｍ３の無線通信を開始できるようにする。
【００２１】
上記のような負荷分散の処理は、監視制御部３００が夫々のＭＡＣ処理部３１〜３ｎの負荷を監視して負荷分散させる監視分散方式と、夫々のＭＡＣ処理部３１〜３ｎが自律的に負荷分散を行う自律分散方式とが挙げられる。以下、夫々の方式について説明する。
【００２２】
（監視分散方式）  
図５は、監視制御部３００が夫々のＭＡＣ処理部３１〜３ｎの負荷を監視して負荷分散させる監視分散方式により、ＭＡＣ処理部３１〜３ｎの負荷分散を行う手順を示すシーケンス図である。ここでは、図４のように負荷分散する処理について説明する。
【００２３】
無線端末Ｍ１が、ＰＨＹ処理部２１およびＭＡＣ処理部３１の処理により無線通信し（ステップＳ１１）、無線端末Ｍ２が、ＰＨＹ処理部２１およびＭＡＣ処理部３１の処理により無線通信している（ステップＳ１２）。また、監視制御部３００は、ＭＡＣ処理部３１〜３ｎの処理量を監視する（ステップＳ１３、Ｓ１４）。この監視の仕方は、例えば各ＭＡＣ処理部３１〜３ｎ毎に、処理能力（処理可能量）の情報と現在の処理量とを対応付けたテーブルを監視制御部３００内に記憶しておき、各ＭＡＣ処理部３１〜３ｎに対して定期的に問合せを行う、若しくは、各ＭＡＣ処理部３１〜３ｎにて処理量に変化があったときや定期的に各ＭＡＣ処理部３１〜３ｎから自発的に現在の処理量を通知する等により、各ＭＡＣ処理部３１〜３ｎの現在の処理量の情報を取得してテーブルを更新する。
【００２４】
このとき、無線端末Ｍからの接続要求など新たに負荷が生じた場合には、次にどのＭＡＣ処理部３１〜３ｎが処理を行うかを決定しておき、無線端末Ｍからの接続要求などの新たな負荷が生じたときには、決定したＭＡＣ処理部３１〜３ｎにて処理を行うように制御する。ここでは、無線端末Ｍ３から接続要求が無線部へ送信され（ステップＳ１５）、決定されていたＭＡＣ処理部３ｎにて処理が行うことになる。そして、その接続要求を許可するようＭＡＣ制御部３ｎが無線端末Ｍ３に対して応答する（ステップＳ１６）。接続要求が許可されると、無線端末Ｍ３は、無線通信を開始し、ＰＨＹ処理部２１およびＭＡＣ処理部３ｎにより処理が行われる（ステップＳ１７）。
【００２５】
このように、監視制御部３００が各ＭＡＣ処理部３１〜３ｎの処理量を監視することにより、１つのＭＡＣ処理部の処理能力の上限まで処理をしているときに、新たな処理を行う要求を受けた場合に、他のＭＡＣ処理部へ処理を切り替えることができる。
【００２６】
（自律分散方式）  
図６は、ＭＡＣ処理部３１〜３ｎが自律的に負荷分散を行う自律分散方式により、ＭＡＣ処理部３１〜３ｎの負荷分散を行う手順を示すシーケンス図である。ここでは、図４のように負荷分散する処理について説明する。
【００２７】
無線端末Ｍ１が、ＰＨＹ処理部２１およびＭＡＣ処理部３１の処理により無線通信し（ステップＳ２１）、無線端末Ｍ２が、ＰＨＹ処理部２１およびＭＡＣ処理部３１の処理により無線通信している（ステップＳ２２）。このとき、無線端末Ｍ３が無線部へ接続要求を送信すると、この接続要求はＰＨＹ処理部２１およびＭＡＣ処理部３１へ送られる（ステップＳ２３）。接続要求を受信したＭＡＣ処理部３１は、自身の現時点での処理可能量（自身の全処理能力から現在処理中の処理量を引いたもの）との比較によりこの接続要求を許可するか否か判断する。ここでは、この接続要求を許可すると処理能力を超えるため、接続要求を拒否するようＰＨＹ処理部２１へ応答する（ステップＳ２４）。接続要求が拒否された場合、ＰＨＹ処理部２１は、接続要求をＭＡＣ処理部３ｎへ送る（ステップＳ２５）。ＭＡＣ処理部３ｎは、自身の現時点での処理可能量との比較によりこの接続要求を許可するか否か判断する。ここでは、この接続要求を許可できる場合であるため、接続要求を許可するよう応答する（ステップＳ２６）。接続要求が許可されると、無線端末Ｍ３は、無線通信を開始し、ＰＨＹ処理部２１およびＭＡＣ処理部３ｎにより処理が行われる（ステップＳ２７）。
【００２８】
このように、ＭＡＣ処理部３１〜３ｎが自身の現時点での処理可能量との比較により、接続要求を許可するか否かを判断し、その接続要求に係る通信の処理を行うための処理可能量が不足している場合には、その接続要求に係る通信の処理を他のＭＡＣ処理部３１〜３ｎへ切り替えるようにしている。なお、このような自律負荷分散を行う場合は、無線部制御装置１００に監視制御部３００が備えられていなくてもよい。
【００２９】
（自律分散方式の他の実施形態）
上記述べた自律分散方式では、無線端末Ｍ３からの接続要求を受信したＭＡＣ処理部３１は、自身の現時点での処理可能量との比較により、この接続要求を許可するか否か判断し、拒否する場合は、この接続要求を拒否するようＰＨＹ処理部２１へ応答し、この応答を受信したＰＨＹ処理部２１は、他のＭＡＣ処理部３ｎへ接続要求を行う。ここでは、自律分散方式の他の実施形態として、上記監視分散方式で監視制御部３００が行っていた処理を、各ＭＡＣ処理部３１〜３ｎが行うようにすることでも自律負荷分散を行うことができる。
【００３０】
つまり、各ＭＡＣ処理部３１〜３ｎは他のＭＡＣ処理部３１〜３ｎの負荷を監視し、接続要求を受信したＭＡＣ処理部３１〜３ｎが、この接続要求に係る処理を行うＭＡＣ処理部３１〜３ｎを決定する。
【００３１】
以上が、監視分散方式または自律分散方式による、ＭＡＣ処理部３１〜３ｎの負荷分散である。
【００３２】
次に、本実施例の分離型基地局１におけるＭＡＣ処理部３１〜３ｎの負荷分散による効果について、従来例と比較して説明する。  
図７は、本実施例の分離型基地局１におけるＰＨＹ処理部２１〜２ｎおよびＭＡＣ処理部３０の処理能力を説明するための概念図である。本実施例の分離型基地局１では、複数の無線部１０をベースバンド部２００に接続するようにしている。図７では、４つの無線部１１〜１４をベースバンド部２００に備えられるＰＨＹ処理部２１に接続している。このとき、ＰＨＹ処理部２１〜２ｎの夫々の処理能力は、複数の無線部１０に対応したスペック（横線塗り箇所）に対してマージン（縦線塗り箇所）を設けている。
【００３３】
また、ＭＡＣ処理部３１〜３ｎは、各ＭＡＣ処理部３１〜３ｎの現時点での処理量に応じて、新たに要求された場合の処理の分担を、処理能力に余裕のあるＭＡＣ処理部３１〜３ｎへ割り当てるようにしているため、各ＭＡＣ処理部３１〜３ｎの処理能力は、全てのＭＡＣ処理部３１〜３ｎのスペックに対してマージンを設ければよい。つまり、ＭＡＣ処理部３１〜３ｎの全てがＢＵＳYとなることは頻繁に起こることではなく、処理能力に余裕のあるＭＡＣ処理部３１〜３ｎが処理すればよいので、ＭＡＣ処理部３１〜３ｎの集合物であるＭＡＣ処理部３０としてマージンを設ければよく、図８に示す従来例のように、各ＭＡＣ処理部３１〜３ｎにマージンをもたせるよりもマージンを少なくすることができ、その結果、処理効率を向上させることができる。
【００３４】
また、複数の無線部１０を１つのベースバンド部に接続するようにし、ＭＡＣ処理部３１〜３ｎを負荷分散させると、見かけ上、ＭＡＣ処理部３１〜３ｎの集合物がＭＡＣ処理部３０となるため、図８に示す従来例のように、無線部、ＰＨＹ処理部、ＭＡＣ処理部を夫々１つずつ（もしくはその冗長構成）備えるようにした場合よりも、多くの処理をＭＡＣ処理部３０で行うことができる。
【００３５】
以上述べたように、無線部１０とベースバンド部２００が分離した構成であり、複数の無線部１０が接続されるベースバンド部２００を有する分離型基地局１において、監視制御部３００によるＭＡＣ処理部の負荷分散、または各ＭＡＣ処理部自身によるＭＡＣ処理部の自律的負荷分散により、ＢＵＳＹ状態を回避することができる。その結果、通信品質を向上させることが可能となる。
【００３６】
また、ＭＡＣ処理部３１〜３ｎのマージンを少なくすることができるため、処理効率を向上させることができるとともに、マージンを少なくすることができた分、ハードウェアにかかるコストを低減させることができる。
【００３７】
そして、ＭＡＣ処理部の負荷分散をするようにしているため、ＭＡＣ処理部３１〜３ｎの何れかに障害が発生した場合においても、障害が発生したＭＡＣ処理部で行っていた処理を、正常に機能しているＭＡＣ処理部へ切り替えることが可能である。
【００３８】
なお、本発明は、以上の構成に限定されるものではなく、種々の変形が可能である。例えば、上記実施例では、負荷分散を行う際の新たな処理を、無線端末Ｍからの接続要求としたが、この新たな処理は、通信網ＮＷから無線端末Ｍへ向けての着信呼であってもよい。また、無線端末は、無線部１０と無線通信できるものであれば、携帯電話、ＰＨＳ（Personal Handy-phone System）に限定されるものではなく、無線通信用のインタフェースを備えるモバイルＰＣやＰＤＡ（Personal Digital Assistants）等のポータブル機器であってもよい。
【符号の説明】
【００３９】
１…分離型基地局、１０〜１０ｎ，５１１〜５１４…無線部、２０〜２ｎ，５２１〜５２４…ＰＨＹ処理部、３０〜３ｎ，５３１〜５３４…ＭＡＣ処理部、２００…ベースバンド部、３００…監視制御部、ＮＷ…通信網、Ｍ，Ｍ１〜Ｍｎ…無線端末、Ｌ１，Ｌ２，Ｌ３…経路、ＢＳ，ＢＳ１〜ＢＳ４…基地局、５００…基地局制御装置、Ｂ１…制御バス、Ｂ２…データバス。 
【図１】
2011087251.tif 000003
【図２】
2011087251.tif 000004
【図３】
2011087251.tif 000005
【図４】
2011087251.tif 000006
【図５】
2011087251.tif 000007
【図６】
2011087251.tif 000008
【図７】
2011087251.tif 000009
【図８】
2011087251.tif 000010